(57)【要約】【課題】高さ幅が異なる屋根側端部に上下の被覆面間の幅を調節して取付けることができるように破風化粧板を構成して、スレート屋根や瓦屋根の家屋のケラバの装飾に共用可能とする。【解決手段】破風化粧板１を屋根側端部４の上部及び側部をそれぞれ覆う上側化粧部材２と、屋根側端部４の側部及び下部を覆う下側化粧部材３により構成する。下側化粧部材３の側部被覆面３１の上端に屋根側端部４の側部表面に重なって固定される下側固定面３４を設けるとともに、上側化粧部材２の側部被覆面２２の略中央に凹溝２４を設け、その内部に下側取付け面３４に重なって屋根側端部４の側部に固定される上側固定面２５を設ける。下側固定面３４上の上側固定面２５の取付け固定位置を変えることで破風化粧板の上下端部間の幅を変える。【選択図】図２
2016142061.tif 000002
【特許請求の範囲】
【請求項１】
屋根側端部の上部を覆う上部被覆面と側部を覆う側部被覆面と下部を覆う下部被覆面とを有する破風化粧板において、
屋根側端部の上部及び側部をそれぞれ覆う上側化粧部材と、屋根側端部の側部及び下部を覆う下側化粧部材からなり、
前記下側化粧部材の側部被覆面の上端に上方へ突出していて屋根側端部の側部表面に重なって固定される下側固定面が設けられ、前記上側化粧部材の側部被覆面の面内に前記下側取付け面に重なって当該下側固定面とともに屋根側端部の側部に固定される上側固定面が設けられ、
前記下側固定面上の上側固定面の取付け固定位置を変えることで、上部被覆面と下部被覆面の間の幅を変えることができるようにした構成を有することを特徴とする破風化粧板。
【請求項２】
下側化粧部材の下側固定面の上端部に外側への折り返し部が設けられた構成を有することを特徴とする請求項１に記載の破風化粧板。
【請求項３】
上側化粧部材の側部被覆面内に前後方向に延びた凹溝が設けられ、この凹溝内に上側固定面が設けられた構成を有することを特徴とする請求項１又は２に記載の破風化粧板。
【請求項４】
請求項１〜３の何れかに記載の破風化粧板を用いた破風化粧板の取付け構造であって、
下側化粧部材を屋根側端部に装着してその側部被覆面と下部被覆面で屋根側端部の側部と下部を覆うとともに、屋根側端部の側部表面に重ね合わさった下側固定面に固着具を打ち込んで下側化粧部材を屋根側端部に固定し、
上側化粧部材を屋根側端部に装着してその上部被覆面と側部被覆面で屋根側端部の上部と側部を覆うとともに、前記下側固定面の表面に重ね合わさった上側固定面に固着具を打ち込んで上側化粧部材を下側化粧部材とともに屋根側端部に固定して、破風化粧板を屋根側端部に取付けることを特徴とする破風化粧板の取付け構造。
【発明の詳細な説明】
【技術分野】
【０００１】
本発明は、家屋の切妻屋根廻りの造作において、妻側端部であるケラバに取り付けてケラバを装飾する破風形の化粧板の構成及びその取り付け構造に関する。
【背景技術】
【０００２】
破風化粧板として、図８に示されるように、屋根側端部の上部と側部上半面を覆う上側化粧部材１０１と、側部下半面と下部を覆う下側化粧部材１０２により構成されるものが知られている。
【０００３】
この破風化粧板１００は、同図（Ｂ）に示されるように、上側化粧部材１０１の下端部と下側化粧部材１０２の上端部を突き合わせて重ね、重なった部分をビス１０３で留め付けて一体に固着することにより構成されている。
そして、屋根側端部への取付けは、図９に示されるように、破風化粧板１００のビス１０３が留め付けられた凹溝部１００ａを折り目として上下の化粧部材１０１，１０２を「く」の字状に弾性変形させて端部を広く開口させ、その状態で屋根側端部に取付けたブラケット１０４に被せて仮固定し、取付け位置を調整した後、破風化粧板１００を屋根側端部にビス留めして固定することにより行なわれていた（例えば特許文献１参照）。
【先行技術文献】
【特許文献】
【０００４】
【特許文献１】特開２００１−２６２７９９号公報
【発明の開示】
【発明が解決しようとする課題】
【０００５】
注文住宅では、施工主の好みによって、スレート屋根の家屋や瓦屋根の家屋の屋根側端部にそれぞれ同じデザインの破風化粧板を取付けることがあるが、スレート屋根と瓦屋根では破風化粧板で覆う屋根側端部の鉛直方向に沿った高さ幅が異なることから、施工主の注文に応じて、スレート屋根用の破風化粧板、或いはこれよりも高さ幅が大きな瓦屋根用の破風化粧板を製造して対応している。
破風化粧板が、その上下の被覆面間の幅を調節することが可能であれば、一つの破風化粧板を高さ幅が異なるスレート屋根と瓦屋根の屋根側端部の何れにも取付けることが可能となり、それぞれのサイズの破風化粧板の製造が不要となるため、家屋の建築費用に含まれる部材コストの低減化が実現され、また、一つの破風化粧板が異なる高さ幅の屋根側端部に対して共用可能であれば、部材の管理コストも削減されることとなる。
【０００６】
しかし、従来の破風化粧板は、その多くは屋根側端部をその上部から下部を覆うように一枚の鋼板を折曲加工して一体に形成され、また、前記図示した破風化粧板１００のような上側化粧部材１０１と下側化粧部材１０２の二つの部材からなるものであっても、上下の部材同士を一体に固着して形成されており、何れのものも破風化粧板の上下の被覆面間の幅を適宜に変えて屋根側端部に取付けることのできる構成のものではなかった。
【０００７】
また、例えば前記破風化粧板１００において、上側化粧部材１０１の下端部、或いは下側化粧部材１０２の上端部に上下方向に延びた接続代を形成しておき、接続代の幅の範囲内で上下の化粧部材１０１，１０２の接続位置を変えることができるように設けることで、上下の被覆面間の幅が可変式の破風化粧板を構成することが可能であるが、一枚の鋼板を折曲げて形成された破風化粧板と比べて、上下の化粧部材１０１，１０２や複数の部材を接続して形成される破風化粧板は、部材同士の接続部や重なり部から雨水が破風化粧板の裏側に侵入したり廻り込んだりして破風化粧板の裏側に滞留させ易く、屋根側端部の表面や破風化粧板を腐蝕させ易い。
よって、複数の部材を組み合わせ、それらを互いに接続して破風化粧板を構成する場合は、部材同士の接続部や重なり部から雨水が入り込まない形状に設ける必要がある。
【０００８】
本発明は従来技術の有するこのような問題点に鑑み、屋根側端部に取付けてケラバを装飾する破風化粧板において、高さ幅が異なる屋根側端部に上下の被覆面間の幅を調節して取付けることができるように破風化粧板を構成して、スレート屋根や瓦屋根の家屋のケラバの装飾に共用できるようにすることを課題とする、また、本発明は、部材同士の接続部や重なり部、継ぎ目部分から破風化粧板の裏側に雨水が入り込まないように破風化粧板を構成することを課題とする。
【課題を解決するための手段】
【０００９】
前記課題を解決するため本発明は、屋根側端部の上部を覆う上部被覆面と側部を覆う側部被覆面と下部を覆う下部被覆面とを有する破風化粧板において、
屋根側端部の上部及び側部をそれぞれ覆う上側化粧部材と、屋根側端部の側部及び下部を覆う下側化粧部材からなり、
前記下側化粧部材の側部被覆面の上端に上方へ突出していて屋根側端部の側部表面に重なって固定される下側固定面が設けられ、前記上側化粧部材の側部被覆面の面内に前記下側取付け面に重なって当該下側固定面とともに屋根側端部の側部に固定される上側固定面が設けられ、
前記下側固定面上の上側固定面の取付け固定位置を変えることで、上部被覆面と下部被覆面の間の幅を変えることができるようにした構成を有することを特徴とする。
【００１０】
前記構成の破風化粧板の取付けは、下側化粧部材を屋根側端部に装着してその側部被覆面と下部被覆面で屋根側端部の側部と下部を覆うとともに、屋根側端部の側部表面に重ね合わさった下側固定面に固着具を打ち込んで下側化粧部材を屋根側端部に固定し、上側化粧部材を屋根側端部に装着してその上部被覆面と側部被覆面で屋根側端部の上部と側部を覆うとともに、前記下側固定面の表面に重ね合わさった上側固定面に固着具を打ち込んで上側化粧部材を下側化粧部材とともに屋根側端部に固定して、破風化粧板を屋根側端部に取付けることにより行なうことができる。
【００１１】
これによれば、破風化粧板は、上側化粧部材と下側化粧部材の二つの部材を組み合わせて構成され、屋根側端部の側部表面に下側化粧部材の下側固定面を重ね合わせて固定し、屋根側端部の上部と側部を覆って装着された上側化粧部材の上側固定面を前記下側化粧部材の下側固定面に重ね合わせ、上側固定面の表面に固着具を打ち込んで下側固定面とともに屋根側端部に固定することで、屋根側端部に取付けられる。
固着具が打ち込まれる、上側化粧部材の上側固定面はその側部被覆面の面内、下側化粧部材の下側固定面はその側部被覆面の上方にそれぞれ設けられており、下側固定面に沿って上側固定面の取付け位置を上下にずらすことで、両部材を一体に接続したときの破風化粧板の上下端部間の高さ幅を変えることができ、スレート屋根や瓦屋根の屋根側端部に高さ幅を調節して取付けて、屋根側端部の高さ幅が異なる家屋に共用することができる。
【００１２】
前記構成の破風化粧板において、上下の化粧部材を屋根側端部に取付けた状態で、下側化粧部材の側部被覆面に上側化粧部材の側分部被覆面が重なって覆うため、破風化粧板の表面を伝う雨水が上下の化粧部材の重なった接続部分に入り込むことは少ないが、上側化粧部材の内側に雨水が入り込み、これが下側化粧部材と屋根側端部の側部表面の継ぎ目部分に廻り込むことを防止するため、下側化粧部材の下側固定面の上端部に、ヘミング加工により外側へ折れた折り返し部を設けておくことが好ましい。
さらに、下側化粧部材の下側固定面を屋根側端部の側部表面に重なるように設け、その下方の側部被覆面を下側固定面よりも外方へ張出し或いは突出するように湾曲又は屈曲した形状に設ければ、下側化粧部材の表面を伝う雨水はその側部被覆面を伝って下方へ流れ落ち、それよりも上方の下側固定面、さらには屋根側端部の側部表面の継ぎ目部分へと浸入することを防止することができる。
【００１３】
また、前記構成の破風化粧板において、上側化粧部材の側部被覆面内に前後方向に延びた凹溝を設け、この凹溝内に上側固定面を設けるようにしてもよい。
このようにすることで、凹溝がアクセントとなって破風化粧板の装飾性が増すだけでなく、下側化粧部材に上側化粧部材を重ね、上側化粧部材の凹溝内の上側固定面に固着具を打ち込んで屋根側端部に破風化粧板を固定した状態で、上側固定面に打ち込んだ固着具の先端部分が凹溝内に埋没し、固着具を外側から目に付き難くすることができる。
【図面の簡単な説明】
【００１４】
【図１】本発明の一実施形態の破風化粧板を瓦屋根に取付けた屋根側端部の外観図である。
【図２】図１における屋根側端部の要部断面図である。
【図３】図１の破風化粧板を構成する上側化粧部材の端面図である。
【図４】図１の破風化粧板を構成する下側化粧部材の端面図である。
【図５】図１の破風化粧板の取付け高さを変える上下の化粧部材の接続態様であって（Ａ）は取付け高さを最大にした状態、（Ｂ）は取付け高さを最小にした状態を示した図である。
【図６】図１の破風化粧板をスレート屋根に取付けたときの屋根側端部の要部断面図である。
【図７】（Ａ）、（Ｂ）は図１の破風化粧板を組み付ける手順を示した屋根側端部の要部断面図である。
【図８】従来の破風化粧板の（Ａ）は部材展開外観図、（Ｂ）は展開断面図である。
【図９】図９の破風化粧板の屋根側端部への取付け方を説明するための図である。
【発明を実施するための形態】
【００１５】
本発明の好適な一実施形態を、図面を参照して説明する。
図１は本発明の一実施形態の破風化粧板を瓦屋根に取付けた屋根側端部の外観図、図２は屋根側端部の要部断面図であり、両図に示されるように、本形態の破風化粧板１は、屋根側端部４の棟側から軒側に亘ってその上部、側部及び下部を覆って取り付けられ、恰も破風板が取り付けられた如き外観にケラバを装飾するものである。図中、符号５は唐草、６は捨て水切り板、７は瓦、８は軒天井、Ｎはビスや留めネジなどの固着具である。
なお、破風化粧板１を屋根側端部４の棟側から軒側に亘る長さで一体に形成する加工は困難なため、通常、同じ断面形状で複数本にユニット化させ、これらを継ぎ合わせて破風化粧板１が構成されるが、以下の説明ではユニット単体を破風化粧板１として説明する。
【００１６】
破風化粧板１は、図３及び図４に示されるように、屋根側端部４の上部及び側部を覆う上側化粧部材２と、屋根側端部４の側部及び下部を覆う下側化粧部材３を一体に組み合わせて構成されている。
【００１７】
上側化粧部材２は、図３に示されるように、屋根側端部４の上部を覆う上部被覆面２１と側部を覆う側部被覆面２２を有し、屋根側端部４の上部から側部に亘る表面部分を一体に被覆し得る大きさで、断面略々下向きＬ字形に鋼板を折曲げて形成してある。
詳しくは、上部被覆面２１の先端には、屋根側端部４の上面に固定された水切り板６の先端部に係合する鈎状の係止部２３を設けてある。
側部被覆面２２の略中央には、当該上側化粧部材２の長手方向に沿って連続して伸びていて表面を断面略コ字形に凹ませた凹溝２４を設けてあるとともに、この凹溝２４の奥側の面に、後述する下側化粧板３の下側固定面３４に重なり且つビスや留めネジなどの固着具Ｎで下側固定面３４とともに屋根側端部４の側部表面に留め付けられる上側固定面２５を設けてある。
また、側部被覆面２２の凹溝２４よりも下側の部分は、凹溝２４よりも上側の部分と比べて表面側への張り出し幅が小さい段差部となっており、その下端部２６を、上側化粧部材２を下側化粧部材３に重ねて取付けた際に、後述する下側化粧板３の側部被覆面３１の表面に当接するように重裏面側へ略直角に屈曲させてある。
【００１８】
下側化粧部材３は、図４に示されるように、屋根側端部４の側部を覆う側部被覆面３１と下部を覆う下部被覆面３２を有し、屋根側端部４の側部の略下側半面部から下部に亘る表面部分を一体に被覆し得る大きさで、断面略々Ｌ字形に鋼板を折曲げて形成してある。
詳しくは、側部被覆面３１の上端には、傾斜面３３を介して側部被覆面３１の高さ幅と略同じ幅だけ当該側部被覆面３１と平行に上方へ突出していて屋根側端部４の側部表面に重なる下側固定面３４を連ねてあり、この下側固定面３４の上端部にはヘミング加工により表面側へ外折れした折り返し部３５を設けてある。
下部被覆面３２の端部には、上方へ折れた上折れ部３６を連ね、この上折れ部３６の縁部に当該下部被覆面３２と平行に外方へ折れていて軒天井８の端部が係入する折り返し部３７を設けてある。
【００１９】
上側化粧部材２と下側化粧部材３は、ともに表面を塩化ビニル樹脂で覆うなどの耐蝕加工が施された被覆鋼板や、亜鉛鋼板などの耐蝕・耐火性を有する長尺の鋼板をベンダー等で折り曲げて形成することができる。例えば、厚みが０．４ｍｍの鋼板をその表面側を０．２５ｍｍ厚の塩化ビニル製シートで被覆し、裏面側を０．１ｍｍ厚の塩化ビニル製シートで被覆した樹脂被覆鋼板の使用が好適である。
【００２０】
破風化粧板１は、前記の如く形成された上側化粧部材２と下側化粧部材３を組み合わせて構成され、屋根側端部４の下側に下側化粧部材３、上側に上側化粧部材２をそれぞれ装着し、下側化粧部材３の下側固定面３４の表面に上側化粧部材２の上側固定面２５を重ね合わせ、重なり部に固着具Ｎを打ち込んで屋根側端部４に取付けられるが、この際、前記下側固定面３４に沿って上側固定面２５の固定位置を上下にずらすことで、破風化粧板１の上下端部間の高さ幅を変えることができるようになっている。
すなわち、図５（Ａ）に示されるように、下側化粧部材３の下側固定面３４の上部側に上側化粧部材２の上側固定面２５を重ねて固定すれば破風化粧板１の上下端部間の高さ幅が大きくなって、図１に示される瓦屋根のような高さ幅の大きな屋根側端部４に取付けることができ、また、図５（Ｂ）に示されるように、下側化粧部材３の下側固定面３４の下部側に上側化粧部材２の上側固定面２５を重ねて固定すれば破風化粧板１の上下端部間の高さ幅が小さくなり、図６に示されるスレート９を載せたスレート屋根のような高さ幅の小さな屋根側端部４に取付けることが可能となる。
【００２１】
本形態の破風化粧板１は、例えば以下の手順で屋根側端部４に取り付けることができる。なお、予め屋根側端部４の上面に沿って唐草５が固定され、唐草５を含む屋根の表面を耐水シートで覆って防水処理を施された後、捨て水切り板６が唐草５に沿って取り付けられる。
【００２２】
先ず、図７（Ａ）に示されるように、下側化粧部材３を屋根側端部４に装着し、その側部被覆面３１と下部被覆面３２で屋根側端部４の側部と下部を覆うとともに、屋根側端部４の側部表面に下側固定面３４、屋根側端部４の下部表面に折り返し部３７の裏面をそれぞれ重ね合せ、重なり部に固着具Ｎを打ち込んで、下側化粧部材３を屋根側端部４に固定する。
【００２３】
次いで、同図（Ｂ）に示されるように、上側化粧部材２を屋根側端部４に装着してその上部被覆面２１と側部被覆面２２で屋根側端部の上部と側部を覆い、上部被覆面２１の先端に設けた係止部２３を捨て水切り板６の端部に係合させるとともに、前記下側化粧部材３の下側固定面３４の表面に上側固定面２５を重ね合わせ、重ね合わさった上側固定面２５に固着具Ｎを打ち込んで、上側化粧部材２を下側化粧部材３とともに屋根側端部４に固定する。捨て水切り板６の端部に係合した係止部２３も固着具Ｎで留め付ける。
【００２４】
そして、上記のような手順で、軒側から棟側に向けて、上下の化粧部材２，３を屋根側端部４に順次固定しつつ軒側から棟側に亘って複数本を継ぎ合わせることで破風化粧板１が取付けられ、その後、軒天井９を取付け、瓦７を敷設するなどして、家屋の屋根側端部４廻りの造作が完了する。
【００２５】
屋根側端部４に破風化粧板１を取付けることにより、屋根側端部４はその棟側から軒側に亘ってその上部、側部及び下部が覆われ、恰も破風板が取り付けられた如き外観にケラバが装飾される。
破風化粧板１は、下側化粧部材３の側部被覆面３１に上側化粧部材２の側分部被覆面２２が重なって覆うため、破風化粧板１の表面を伝う雨水が上下の化粧部材２，３の重なった接続部分に入り込むことは少なく、また、下側化粧部材３の下側固定面３４よりも、その下側の側部被覆面３１が表面側外方へ張り出ているので、下側化粧部材３の表面を伝う雨水はその側部被覆面３１を伝って下方へ流れ落ち、それよりも上方の下側固定面３４側へ入り込むことは少ない。上側化粧部材２の内側に雨水が入り込んでも、下側化粧部材３の下側固定面３４の上端に設けた折り返し部３５が屋根側端部４の側部表面との継ぎ目部分へ浸入することを防ぎ、雨水が破風化粧板１の裏側に侵入したり廻り込んだりして破風化粧板１の裏側で滞留し、屋根側端部４の表面や破風化粧板１が腐蝕することを効果的に抑止することができる。
【００２６】
また、前述の通り、破風化粧板１は、上下の化粧部材２，３の取付け位置を上下にずらすことで、両部材を一体に接続したときの破風化粧板１の上下端部間の高さ幅を変えることができ、図１に示された瓦屋根や図６に示されたスレート屋根など屋根側端部４の高さ幅が異なる家屋に共用することが可能である。
【００２７】
なお、図示した破風化粧板１の形態や、これを屋根側端部４に取付ける手順は一例であり、本発明は図示した形態に限定されず、他の適宜な形態で破風化粧板を構成し、任意の手順で取り付けることが可能である。
【符号の説明】
【００２８】
１  破風化粧板、２  上側化粧部材、３  下側化粧部材、２１  上部被覆面、２２，３１  側部被覆面、３２  下部被覆面、２４  凹溝、２５  上側固定面、３４  下側固定面、４  屋根側端部、５  唐草、６  捨て水切り板、７  瓦、８  軒天井、９  スレート、Ｎ  固着具
【図１】
2016142061.tif 000003
【図２】
2016142061.tif 000004
【図３】
2016142061.tif 000005
【図４】
2016142061.tif 000006
【図５】
2016142061.tif 000007
【図６】
2016142061.tif 000008
【図７】
2016142061.tif 000009
【図８】
2016142061.tif 000010
【図９】
2016142061.tif 000011